(57)【要約】   【課題】 環境状態の検出と、対象へのリモートコントロールを達成し、かつリアルタイムで対応する機能のオンオフを行なうことができ、居住の品質と安全性を高めることができるとともに、容易に実施できる生体状態検出に用いるモジュール化された多機能機能の照明装置を提供する。  【解決手段】  複数種のモードを具えるＬＥＤモジュールと撮像モジュールとを内設してなり、該ＬＥＤモジュールが継続的な照明と、及び空気の品質の指示と点滅して行なうアラームとに供し、該撮像モジュールが録画して記録するために供するハウジングと、赤外線と音声信号の受信と伝送を行なうリモートコントロールモジュールと、ガスとスモッグを検出する機能を具えた環境モジュールと、体温の検出と対象の生体状態を検出に用いる識別モジュールと、上述するそれぞれのモジュールに電気的に接続して該ハウジング内に設けられ、かつ中央処理器を具え、対象と環境に設定された標準値を識別して対応する機能をオンオフするメイン制御板と、を含んでなる。【選択図】 図１
2019500717.tif 000002
【特許請求の範囲】
【請求項１】
複数種のモードを具えるＬＥＤモジュールと撮像モジュールとを内設してなり、該ＬＥＤモジュールが継続的な照明と、及び空気の品質の指示と点滅して行なうアラームとに供し、該撮像モジュールが録画して記録するために供するハウジングと、
赤外線と音声信号の受信と伝送を行なうリモートコントロールモジュールと、
ガスとスモッグを検出する機能を具えた環境モジュールと、
体温の検出と対象の生体状態を検出に用いる識別モジュールと、
上述するそれぞれのモジュールに電気的に接続して該ハウジング内に設けられ、かつ中央処理器を具え、対象と環境に設定された標準値を識別して対応する機能をオンオフするメイン制御板と、を含んでなることを特徴とする生体状態検出に用いるモジュール化された多機能照明装置。
【請求項２】
前記環境モジュールが、該ハウジング外部の有害な気体を検出する気体検出手段と、該ハウジング外部のスモッグを検出するスモッグ検出手段と該ハウジング外部の温度と湿度を検出する温湿度検出手段と、該ハウジング外部環境の浮遊微粒子の含有量を検出する空気品質検出手段と、を更に含み、かつデータを該メイン制御板にフィードバックして識別に供し、対応する制御をオンオフすること、を特徴とする請求項１に記載の生体状態検出に用いるモジュール化された多機能照明装置。
【請求項３】
前記気体検出手段と、該スモッグ検出手段と、該温湿度検出手段、該空気品質検出手段とが、前記のそれぞれのモジュールから任意に選択した少なくとも一つか、又は二以上に設けられることを特徴とする請求項２に記載の生体状態検出に用いるモジュール化された多機能照明装置。
【請求項４】
前記リモートコントロールモジュールが、
赤外線リモートコントローラによってコードを送信して送受信を行い、赤外線送受信機能を具える家電にリンクする赤外線モジュールと、
ユーザーの音声コマンドをキャプチャし、マイクロフォンとスピーカーによって受信、認識し、かつ効果音を出力する音声制御モジュールと、
異なる周波数でそれぞれの対応する家電にリンクし、かつデータを該メイン制御板にフィードバックして識別に供しリンクしたそれぞれの家電を制御する無線リモートコントロールモジュールと、をさらに含むことを特徴とする請求項１に記載の生体状態検出に用いるモジュール化された多機能照明装置。
【請求項５】
前記赤外線モジュールと、該音声制御モジュールと、該無線リモートコントロールモジュールとが、前記のそれぞれのモジュールから任意に選択した少なくとも一つか、又は二以上に設けられることを特徴とする請求項４に記載の生体状態検出に用いるモジュール化された多機能照明装置。
【請求項６】
前記多機能照明装置が、該ハウジングに内設され、かつ該メイン制御板に電気的に接続する無線伝送モジュールをさらに具え、該無線伝送モジュールがブルートゥース（登録商標）機能を具える家電にリンクするブルートゥースモジュールと、ＷＩＦＩ（登録商標）機能を具える家電にリンクするＷＩＦＩモジュールと、及びＺ-Ｗａｖｅ（登録商標）モジュールと、によって構成され、かつ該Ｚ-Ｗａｖｅモジュールがリンクする家電をさらに低電圧で起動するとともに、該メイン制御板にフィードバックして識別することによって、それぞれのモジュールにリンクする家電を制御すること、を特徴とする請求項１に記載の生体状態検出に用いるモジュール化された多機能照明装置。
【請求項７】
前記ブルートゥースモジュールと、ＷＩＦＩモジュールと、Ｚ-Ｗａｖｅ）モジュールとが、前記のそれぞれのモジュールから任意に選択した少なくとも一つか、又は二以上に設けられることを特徴とする請求項６に記載の生体状態検出に用いるモジュール化された多機能照明装置。
【請求項８】
前記識別モジュールが、対象の温度、又は移動を検知する体温検知モジュールと、対象の位置と人体の機能とを検知する生体識別モジュールとを含み、かつ該識別モジュールが検出したデータを該メイン制御板にフィードバックして識別することによって対応する制御をオンオフすること、を特徴とする請求項１に記載の生体状態検出に用いるモジュール化された多機能照明装置。
【請求項９】
前記多機能照明具が、パイロットランプモジュールを更に含み、該パイロットランプモジュールが、設定パイロットランプと、気体及びスモッグアラームランプと、空気品質パイロットランプと、該メイン制御板に接続して点灯し、湿度の表示を行なう温湿度パイロットランプとを含むこと、を特徴とする請求項１に記載の生体状態検出に用いるモジュール化された多機能照明装置。
【請求項１０】
前記多機能照明具が、該メイン制御板に電気的に接続してそれぞれのモジュールの作動に電力を提供する電力入力モジュールを更に含み、該電力入力モジュールが、一般電池か、二次電池か、ソーラ電池の内の一であること、を特徴とする請求項１に記載の生体状態検出に用いるモジュール化された多機能照明装置。
【請求項１１】
前記多機能照明具がソーラモジュールをさらに含み、該ソーラモジュー
ルが該電力入力モジュールに電気的に接続し、かつ該ハウジングの外部表
面に設けられ、エネルギー変換し、余剰の電力として蓄積すること、を特徴とする請求項１０に記載の生体状態検出に用いるモジュール化された多機能照明装置。
【請求項１２】
前記多機能照明具が、少なくとも一か、一以上のモータをさらに含み、該モータが該ハウジングに内設されるとともに、該識別モジュールに接続して該識別モジュールの検知角度と方向とを調整し、かつ該モータが該撮像モジュールに接続して検出と録画、記録の範囲を拡張すること、を特徴とする請求項１に記載の生体状態検出に用いるモジュール化された多機能照明装置。
【請求項１３】
前記識別モジュールが撮像モジュールに連結し、さらに該体温検出モジュールか該生体認識モジュールの内の一に接続すること、を特徴とする請求項８に記載の生体状態検出に用いるモジュール化された多機能照明装置。
【請求項１４】
前記多機能照明装置が、該ハウジングに内設され、該メイン制御板にせ接続するＬＥＤ板をさらに含み、かつ該ＬＥＤ板と該メイン制御板とが空間構造にしたがって１枚か、複数枚設けられること、を特徴とする請求項１に記載の生体状態検出に用いるモジュール化された多機能照明装置。
【発明の詳細な説明】
【技術分野】
【０００１】
この発明は、生体状態検出に用いるモジュール化された多機能の照明装置に関し、複数種の機能を具える検出部品を配置し、主に人体と環境の状態を検出して、その時点における状態に基づいて対応する機能を起動させる照明装置に関する。
【背景技術】
【０００２】
発光ダイオード（Ｌｉｇｈｔ  Ｅｍｉｔｉｎｇ  Ｄｏｉｄｅ，ＬＥＤ）の応用技術がますます成熟することによって、各メーカーは、省エネ及び照明技術を継続して発展させているのみならず、関連するＬＥＤの市販のスタイル及び機能も多機能の目標に向けて発展させている。但し、メーカーは、市販の多機能タイプのＬＥＤ商品の消費対象を一般家庭、又は小規模オフィスにおける環境での使用としていて、その整合されたほとんどの機能は簡易化され、体積が一般のＬＥＤ商品に比して空間を占めるのみならず、別途アクセサリーを配置して、はじめて使用できるものすらあり、而も後続のメンテナンス及び部品の交換は、一般消費者にとって容易なことではない。
【０００３】
而も、目下各国では高齢化社会を迎えており、在宅介護のサービスも、日増しに重視されている。但し、介護のために専業の人員を雇うことは、余計に多額の費用を支出することになり、また資格審査のプロセスを経るまで長時間待たなければならず、共働きの家庭、または中流家庭にとってその費用の負担は重く、かつ急場の間に合わせで捻出できるものではない。目下、市場ではクラウドコンピューティングに類似した監視設備が販売されているが、但し、その欠点は、トラブルが発生したとしても、監視画面で知ることができるだけで、適宜な処置をリアルタイムで行なうことができないことにある。よって、早期の改善が望まれる。
【０００４】
米国特許出願第１２／００９，６７４号には、現場における従業員を監視する時間追跡システムが開示されていて、該システムは、ネットワークを利用して、監視画面内の従業員の情報と現場の生体のスキャンニングとを合わせユーザー端に送信し、従業員の活動範囲と行為を判別するものであって、これによって従業員を管理する目的を達成する。但し、係る方式は、別途装置を設けて従業員が監視制御の範囲に進入しているか認識するものであって、一般のユーザーが居住する家の環境を制御するには不便である。
【０００５】
特開２０１３−８０６８９号公報には、定在波レーダー内蔵型ＬＥＤ照明器具が開示されている。該ＬＥＤ照明具は、人体の距離、身体の状況を検出し、かかる分析を利用することでさらに光源を起動し、警報を発するものであって、異なる使用方法に対応して建築物、乗り物、道路などに取り付けることができる。但し、人体の状態の異常に対しては、高精密かつ迅速に検出することができないなどの欠点を有する。而も検出範囲が狭く、実際に家庭用、又は干渉が比較的多い環境に応用しようとすれば、難度が高く、容易でない。
【先行技術文献】
【特許文献】
【０００６】
【特許文献１】米国特許出願第１２／００９，６７４号明細書
【特許文献２】特開２０１３−８０６８９号公報
【発明の概要】
【発明が解決しようとする課題】
【０００７】
本発明者は、ＬＥＤ関連の研究開発、製造に長年従事し、ユーザーのニーズを深く理解するに至った。上述するＬＥＤ状態検出商品とリモートコントロール商品は、整理を加え独立したシステムを構築することができれば、在宅介護を必要とする家庭のニーズを必ずや満足させることができ、スマートタイプの制御を具える住居の環境を構築することができる。そこで、この発明は、環境状態の検出と、対象へのリモートコントロールを達成し、かつリアルタイムで対応する機能のオンオフを行なうことができ、居住の質と安全性を高めることができるとともに、容易に実施できる生体状態検出に用いるモジュール化された多機能機能の照明装置を提供することを課題とする。
【課題を解決するための手段】
【０００８】
この発明は、照明装置と既存の複数種検出技術及びリモートコントロール技術とを結合させて研究開発した生体状態検出に用いるモジュール化された多機能照明装置を提供するものであって、従来の構造において精度の低い検出機能を改善し、家庭環境において常用される電器を整合し、システムによって人体の状態を検出して判断し、対応する設備と結合する。ここの発明の生体状態検出に用いるモジュール化された多機能照明装置は、実際に実用性を具えるものであって、複数種のモードを具えるＬＥＤモジュールと映像を記録する撮像モジュールとを内設してなり、該ＬＥＤモジュールが継続的な照明と、及び空気の品質の指示と点滅して行なうアラームとに供し、かつ該ハウジングには、さらにリモートコントロールモジュールと、環境モジュールと、識別モジュールと、メイン制御板とを内設し、該リモートコントロールモジュールは赤外線と音声信号の受信と伝送を行ない、該環境モジュールは温湿度と、空気品質と、気体及びスモッグを検出する機能を具え、該識別モジュールは、体温の検出と対象の生体状態を検出し、中央処理器を具えるメイン制御板とそれぞれのモジュールとが電気的に接続し、該識別モジュールによってそれぞれのモジュールをガイドして設備との間で一系列の自動連動を為して応用し、かつ学習能力を具え、対象と環境に設定された標準値を識別して対応する機能をオンオフする。よって、環境状態の検出と、対象へのリモートコントロールを達成し、かつリアルタイムで対応する機能のオンオフを行なうことができ、居住の質と安全性を高めることができるとともに、容易に実施できる。
【図面の簡単な説明】
【０００９】
【図１】この発明による照明装置の外観を示した斜視図である。
【図２】図１に開示する照明装置を他の角度から見た斜視図である。
【図３】この発明におけるそれぞれのモジュールと処理の流れを示した説明である。
【図４】この発明による照明装置の分解図である。
【図５】この発明による照明装置の断面図である。
【図６】第２の実施例による照明装置の断面図である。
【図７】第２の実施例による照明装置の底面側の構造を示した説明図である。
【図８】第２の実施例においてソーラモジュールを設けた形態を示した説明図である。
【図９】第３の実施例による照明装置の断面図である。
【図１０】第３の実施例による照明装置の底面側の構造を示した説明図である。
【図１１】第４の実施例による照明装置と局部拡大説明図である。
【図１２】第５の実施例による照明装置と局部拡大説明図である。
【図１３】第６の実施例による照明装置を示した説明図である。
【図１４】第７の実施例による照明装置を示した説明図である。
【図１５】第８の実施例による照明装置を示した説明図である。
【図１６】第９の実施例による照明装置と局部拡大説明図である。
【発明を実施するための形態】
【実施例】
【００１０】
この発明に対する理解が増すように、この発明の好ましい実施の形態について実施例を挙げ、図面を参照にして以下に詳述する。図１から図５に開示するように、この発明による生体状態検出に用いるモジュール化された多機能機能の照明装置はハウジング１を具え、ハウジング１には、複数種のモードを具えるＬＥＤモジュール１１と、撮像モジュール１２と、リモートコントロールモジュール１４と、環境モジュール１５と、識別モジュール１３と、メイン制御板２と、無線伝送モジュールと１９とを内設してなる。ＬＥＤモジュール１１は、継続的な照明と、空気の品質の指示と、点滅して行なうアラームとに供する。ＬＥＤモジュール１１は、主にＬＥＤ板２２上に設ける。撮像モジュール１２は録画して記録するために供する。また、複数層に仕切った仕切りカバー３を設けることによって仕切り構造を構成して、それぞれの光源、又は部材間の干渉による影響を防止する。ハウジング１の下方には枢支座１０と、対応するユニバーサルジョイント１０１とを設けてハウジング１が角度を調整できるようにする。リモートコントロールモジュール１４は赤外線と音声信号の送受信に用いる。環境モジュール１５は、温湿度、空気品質、気体とスモッグを検出する機能を具える。識別モジュール１３は、対象の体温の検知と、生体状態の検出とに用いる。メイン制御板２は、上述するそれぞれのモジュールとＬＥＤ板２２とに電気的に接続する。メイン制御板２には中央処理器４を設け、検出対象と環境に標準値を設定して検知を行ない、対応する機能のオンオフを達成する。メイン制御板２とＬＥＤ板２２とは一枚構造とするか、または複数枚として設け、この点については制限しない。例えば、ＬＥＤモジュール１１が異なる時間に異なる強度で照明を行なうとか、もしくはユーザーの好みを保存しておいてこれに対応させるなどのプランに基づいて使用する。撮像モジュール１２は、検出範囲内に常時は出現しない事象か、又は中央処理器４に記録されていない事象に対して用い、特定の時間に撮像するか、又は条件にマッチした場合に撮像する。以上述べたのは、いずれも対応する起動条件をメイン制御板２に設定する。
【００１１】
環境モジュール１５は、ハウジング１外部の有害な気体を検出する気体検出手段１５１と、ハウジング１外部のスモッグを検出するスモッグ検出手段１５２とを具える。この２種類の検出手段は、停電しても、又は全体への電力供給が不足しても、余剰の電力を供給するため、やはり優先的にオンの状態を維持する。よって、よく見られる火災、又は気体の爆発などの深刻な災害の発生を防ぎ、居住環境の安全を確保することができる。環境モジュール１５は、上述する検出手段以外に、別途ハウジング１外部の温度と湿度を検出する温湿度検出手段１５３と、ハウジング１外部の空気の品質を検出する空気品質検出手段１５４とを具える。上述する４種類の検出手段が得たデータとマイクロプロセッサー４１に至るデータは、いずれもメイン制御板２の中央処理器４に送信して判断を行ない、対応する制御をオンオフする。また、環境モジュール１５の空気品質検出手段１５４と、温湿度検出手段１５３と、空気検出手段１５１とは、ユーザーを取り巻く環境における空気品質の含有量と温湿度と、及び空気中の気体の濃度を監視測定し、中央処理器４のデータベースと比較することで、ユーザーの睡眠の品質を追跡することができる。上述するそれぞれのモジュールが検出を行なった後の動作について、異状が発生する前にユーザーに注意を喚起するように予め設定しておくことで未然に防ぐことができる。係る注意の喚起に反応がなく、かつ気体の濃度が継続して増大し、非常に危険な状況になると、さらに一歩進んで、ネットワークを介して情報を消防署に送信する。送信する該情報は、その時点において検出した気体の濃度、現場の住所、映像、もしくはその他情報を含み、消防署員による現場の状況の把握に供するものである。
【００１２】
リモートコントロールモジュール１４は、赤外線モジュール１４１と、音声制御モジュール１４２と、無線リモートコントロールモジュール１４３とを含み、その主な機能はこれらモジュールによるものである。赤外線モジュール１４１は、赤外線リモートコントローラによってコードを送信して送受信を行い、赤外線送受信機能を具える家電にリンクする。音声制御モジュール１４２は、ユーザーの音声コマンドをキャプチャし、マイクロフォンとスピーカーによって受信、認識し、かつ効果音を出力する。無線リモートコントロールモジュール１４３は、モジュールに設けられた送受信器によって対応するそれぞれのデバイスを制御する。
【００１３】
無線伝送モジュール１９は、ブルートゥース（登録商標）機能を搭載した家電との間でブルートゥース技術による短距離リンクを行なうブルートゥースモジュール１９１と、Ｗｉ-Ｆｉ（登録商標）機能を搭載した家電との間でＷｉ-Ｆｉ遠距離リンクを行なうＷｉ-Ｆｉモジュール１９２と、を具えるとともに、別途Ｚ-Ｗａｖｅ（登録商標）のノードによるルーティングを行なうＺ-Ｗａｖｅモジュール１９３を具える。その伝送距離は上述する両者の間である。よって、使用する環境の空間のサイズに基づいて適宜なモジュールを選択することができる。
【００１４】
以上をまとめると、それぞれのモジュールが情報をメイン制御板２上の中央処理器４にフィードバックして判断がなされ、リモートコントロールモジュール１４と、無線伝送モジュール１９を介してそれぞれのモジュールがリンクする家電を制御する。
【００１５】
識別モジュール１３は、体温検知モジュール１３１と、生体識別モジュール１３２とを含み、体温検知モジュール１３１は、対象の温度、又は移動を検知する。生体識別モジュール１３２は、対象の位置と、人体の機能を検知する。通常はドップラー・レーダー（Ｄｏｐｐｌｅｒ ｒａｄａｒ)を以って実施し、振幅の周波数によってデータを取得する。詳述すると、呼吸信号における高周波帯域の移動信号を利用して呼吸信号を検出し、かつ検出した移動信号に基づき、居住者が一定時間を超える時間で移動したと判断すれば、居住者に異状が発生したものと判定する。よって、定在波解析を利用して探知距離を拡張し、高精密度の探知を行なって異状を検知することができる。両モジュールのデータはマイクロプロセッサー４１に伝送し、メイン制御板２上の中央処理器４にフィードバックして判断を行ない、ここから、それぞれのモジュールと設備との間の一系列の自動的な連動を主導し、応用する。
【００１６】
メイン制御板２には、さらにパイロットランプモジュール１７を設ける。パイロットランプモジュール１７は、設定パイロットランプ１７１と、気体及びスモッグアラームランプ１７２と、空気品質パイロットランプ１７４と、温湿度パイロットランプ１７５とを含む。設定パイロットランプ１７１は入力された信号を検出した場合、もしくは設定によって、作動する場合に間欠的に点滅して表示する。気体及びスモッグアラームランプ１７２と、空気品質パイロットランプ１７４と、温湿度パイロットランプ１７５とは、メイン制御板２の中央処理器４に接続し、環境モジュール１５の検出したデータに基づき表示を行なうか判断する。温湿度パイロットランプ１７５の色については限定しない。実施に発生するニーズに基づき、又は中央処理器４によって環境モジュール１５に対応して異なる基準で異なる色のアラームランプを点灯させる。ランプの色は赤色、青色、緑色、オレンジ色があり、スマートタイプの携帯情報端末を応用しＡＰＰによって、ムードを醸し出すランプに変更し、祝い事のある日、又は特別な日に合わせ全体の雰囲気を容易に変えることができる。
【００１７】
電力入力モジュール１６は、メイン制御板２に電気的に接続して電力を供給するものであるが、一般電池（Ｐｒｉｍａｒｙ  Ｂａｔｔｅｒｙ）１６１か、二次電池（Ｓｅｃｏｎｄａｒｅ  Ｂａｔｔｅｒｙ）１６２か、またはソーラ電池１６３を設けて、内部のそれぞれのセンサの正常な作動を確保し、メイン制御板２に対する電力供給の状況に影響を与えないようにしてもよい。詳述すれば、二次電池１６２とソーラ電池１６３は使用時間を延長し、かつ重複して充電できる長所を有する。ソーラ電池１６３を用いる場合は、道路上の照明具を応用するために、電力を昼間に保存して夜間に使用することで、エネルギーの消費を減少させることができる。然しながら、ハウジング１には、やはりＡＣ／ＤＣ電力入力モジュール１６４を設けて全体の必要とする電力を維持する。
【００１８】
前述するＬＥＤモジュール１１、撮像モジュール１２、識別モジュール１３、リモートコントロールモジュール１４、無線伝送モジュール１９、環境モジュール１５、及び電力供給モジュール１６は、家庭内の各種家電にリンクして、この発明の装置によって、市販のものに比して廉価で、使用上便利なスマートホーム（Ｓｍａｒｔ  Ｈｏｍｅ）を実施することができる。上述する構造によって達成できる装置の応用について、以下に説明する。
【００１９】
ユーザーがこの発明の装置を取り付けると、リモートコントロールモジュール１４によって例えば赤外線などのリモートコントロール機能を具えた除湿器、クーラー、テレビ、扇風機、冷暖房機、もしくは恒温器にリンクすることができる。当然のことながら、比較的先進的なボイスコントロール機能を具える家電であってもよい。この場合、音声制御モジュール１４２と組み合わせることで、録音と正確な発音への変換を行なうか、又はユーザーの好みによってクイックスタートを定義する。通常使用するデバイスはマイクロフォンであって、音声制御モジュール１４２によって音声を録音して保存した後、中央処理器４に伝送して判断し、ボイスコントロール機能を有する家電を制御する。
【００２０】
識別モジュール１３は、ユーザーが帰宅すると、体温検知モジュール1
３１が人体を検知して、マイクロプロセッサー４１によって情報を中央処理器４に伝送して、照明と前述するリモートコントロールモジュール１４にリンクする冷暖房機を起動するとともに、ユーザーの好む温度にしたがって自動的に調整を行なう。但し、生体識別モジュール１３２と撮像モジュール１２とを合わせて段階的にユーザーの体温、位置、距離、呼吸回数、心拍数に異状がないか、常態的な測定検査を行なう。異状があれば、画面に表示する情報と住所を関連機構、又はユーザーの設定する緊急連絡先に伝送する。この測定によって得たデータは、同時に生活スケジュールのパラメーターに変換して保存する。ユーザーが電器を使用する場合、予期せず離れるか、眠りにつくと、暫時オフとなり、本来の位置に戻るか、目覚めると、家電を継続してオンにする。また、環境モジュール１５を応用し、環境湿度を測定して自動的に除湿器のオンオフを行なう。又は空気の品質が好ましくない場合においても、エアコンディショナーを自動的にオンにする。上述する識別モジュールは、異なるニーズに基づき、体温検知モジュール１３１に撮像モジュール１２を組み合わせるか、又は生体識別モジュール１３２に撮像モジュール１２を組み合わせるなど、応用に制限を加えることなく柔軟性を以って用いる。
【００２１】
図６から図８にこの発明の第２の実施例を開示する、第２の実施例は、図面に開示するように、ソーラモジュール１８をハウジング１の外部に設け、電力入力モジュール１６に電気的に接続することで、専用の仕様のソーラ電池１６３か、又は二次電池１６２に電力を蓄積して、この発明の装置の主要な電力、または予備の電力として使用する。太陽光発電による電力を蓄積して主要な電力とする場合、通常は図８に開示するように太陽光発電による電力を街灯に供給する。ソーラモジュール１８はハウジング１の上方に直接設ける。図６はハウジング１にねじ込みソケットを設け、１００から２００Ｖの電源と合わせ使用する。
【００２２】
図６から図１０に、この発明の第２、第３の実施例を開示する。図面の開示によれば、実施例の構造は、ハウジング１に複数種のモードのＬＥＤモジュール１１と、撮像モジュール１２とを内設する。ＬＥＤモジュール１１は照明及び空気品質の指示と点滅アラームを維持し、撮像モジュール１２は録画して記録するために用いる。複数層の仕切りカバー３設けることによって仕切り構造を構成して設置し、それぞれの光源、または部品との間の互いの影響を防ぐ。上述する構造はハウジング１の下層に設ける。ハウジング１内において形成された複数の仕切り構造には、メイン制御板２と中央処理器４と、赤外線及び音声信号の送受信を行なうリモートコントロールモジュール１４と、ブルートゥース、ＷＩＦＩ，Ｚ-Ｗａｖｅを介してリンクするための無線伝送モジュール１９と、温湿度、空気品質、気体とスモッグを測定する機能を具える環境モジュール１５と、体温検知及び対象の生体識別を行なう識別モジュール１３とを具える。メイン制御板２によって上述するそれぞれのモジュールに電気的に接続し、中央処理器４によって対象と環境に対して設定した標準値を識別し、ここから対応する機能をオンオフする。それぞれのモジュールは、発生する実際のニーズにしたがって増減し、上述する構造に限定することはない。
【００２３】
識別モジュール１３の体温検知モジュール１３１と、生体識別モジュール１３２をハウジング１の中間層に設ける。その主な理由は、ハウジング１の上層にモータ２１を設けて該中間層の回転の調整に供するからである。識別モジュール１３と、撮像モジュール１２とサーボモータであるモータ２１とを組み合わせることによって、人と撮像が同期して高齢者の家庭における生活を自動的に監視、制御し、最大範囲における監視、制御が得られる。生体識別モジュール１３２はハウジング１を通過して作動し、デザイン、又は構造の制限を受けることなく、柔軟性のある設置を達成することができる。ハウジング１の上層には電力入力モジュール１６を設けることによって、この発明の基本的な検出と照明としての用途を維持する。大部分の手段の動作、機能は上述する第１、第２の実施例と同様であるので、詳述はしない。それぞれの実施例は、ハウジング１の適宜な位置に複数の放熱プレート１０２を設けてハウジング１の内部温度の降下を助け、装置の正常な作動を確保する。
【００２４】
図１１から図１６にこの発明の第４から第９の実施例を開示する。これらは、それぞれ蛍光灯、シーリングライト、埋込みライト、ペンダントライト、ウォールライト、蛍光灯パネルであって、前述する第１から第３実施例の構造で作成することができ、本分野の専門知識を有する者であれば、容易に設置することができる。よって、詳述はしない。重要な点は、異なる環境において使用するランプに対しても容易に応用することができ、単一の固定的な設置ではなく、この発明の応用範囲は、さらに広範囲にすることができる。
【００２５】
以上をまとめると、この発明は生体状態検出に用いるモジュール化された多機能照明装置を提供するものであって、構造内部に設けたメイン制御板２と中央処理器４に基づき、これらに対応する、異なる機能の環境モジュール１５とリンクして監視を行なうとともに、パイロットランプモジュール１７で注意を喚起することで、生活環境をさらに美しく満たされたものとし、かつユーザーの環境下における安全性を高めることができる。さらに、識別モジュール１３と、リモートコントロールモジュール１４及び無線伝送モジュール１９とによって異なる機能にリンクすることができ、照明装置を環境内に取り付けることで、検知と作動においてさらに好ましい実用性が得られる。
【符号の説明】
【００２６】
１          ハウジング
１０        枢支座
１０１    ユニバーサルジョイント
１０２    放熱プレート
１１        ＬＥＤモジュール
１２        撮像モジュール
１３        識別モジュール
１３１    体温検知モジュール
１３２    生体識別モジュール
１４        リモートコントロールモジュール
１４１    赤外線モジュール
１４２    音声制御モジュール
１４３    無線リモートコントロールモジュール
１５        環境モジュール
１５１    気体検知手段
１５２    スモッグ検知手段
１５３    温度検知手段
１５４    空気品質検知手段
１６        電力入力モジュール
１６１    一般電池
１６２    二次電池
１６３    ソーラ電池
１６４    ＡＣ／ＤＣ電力入力モジュール
１７        パイロットランプモジュール
１７１    設定パイロットランプ
１７２    気体及びスモッグアラームランプ
１７３    赤外線リモートコントローラ
１７４    空気品質パイロットランプ
１７５    温湿度パイロットランプ
１８        ソーラモジュール
１９        無線伝送モジュール
１９１    ブルートゥースモジュール
１９２    ＷＩＦＩモジュール
１９３    Ｚ-Ｗａｖｅモジュール
２        メイン制御板
２１        モータ
２２        ＬＥＤ板
３        仕切りカバー
４        中央処理器
４１        マイクロプロセッサー
【図１】
2019500717.tif 000003
【図２】
2019500717.tif 000004
【図３】
2019500717.tif 000005
【図４】
2019500717.tif 000006
【図５】
2019500717.tif 000007
【図６】
2019500717.tif 000008
【図７】
2019500717.tif 000009
【図８】
2019500717.tif 000010
【図９】
2019500717.tif 000011
【図１０】
2019500717.tif 000012
【図１１】
2019500717.tif 000013
【図１２】
2019500717.tif 000014
【図１３】
2019500717.tif 000015
【図１４】
2019500717.tif 000016
【図１５】
2019500717.tif 000017
【図１６】
2019500717.tif 000018
【国際調査報告】
2019500717.tif 000019
2019500717.tif 000020
2019500717.tif 000021
2019500717.tif 000022
2019500717.tif 000023
2019500717.tif 000024